(57)【要約】【課題】電子機器の端子カバーを抜け止め防止効果が高くコンパクトなものにする。【解決手段】端子カバー１０に、正面側キャビネット３に設けた端子接続用開口３ａを覆うカバー本体１１と、閉じ状態で端子接続用開口３ａ周縁に設けた接続用穴部１６に挿入され、開き状態で引き出されて接続用穴部１６周縁に抜け止めされる帯状の接続部１４とを設ける。接続部１４に、接続用穴部１６周縁の突起１７に引っかかる鉤部１５ａと、鉤部１５ａが突起１７に引っかかったときに鉤部１５ａと反対側の接続用穴部１６内面に当接し、接続部１４が抜けるのを防止する膨出部１５ｂとを設ける。【選択図】図１
2014222744.tif 000002
【特許請求の範囲】
【請求項１】
外部接続端子を露出させる端子接続用開口を有する筐体を備えた電子機器において、
上記端子接続用開口を覆うカバー本体及び閉じ状態で上記端子接続用開口周縁に設けた接続用穴部に挿入され、開き状態で引き出されて該接続用穴部周縁に抜け止めされる帯状の接続部を有する端子カバーを備え、
上記接続部は、
上記接続用穴部周縁の突起に引っかかる鉤部と、
上記鉤部が上記突起に引っかかったときに該鉤部と反対側の上記接続用穴部内面に当接し、該接続部が抜けるのを防止する膨出部とを有する
ことを特徴とする電子機器。
【請求項２】
請求項１に記載の電子機器において、
上記端子接続用開口は、上記筐体のコーナー部周辺に設けられ、
上記接続用穴部は、上記コーナー部に沿って形成され、
上記接続部は、上記閉じ状態で上記接続用穴部に沿って延びるように挿入されている
ことを特徴とする電子機器。
【発明の詳細な説明】
【技術分野】
【０００１】
本発明は、外部接続端子を露出させる端子接続用開口を有する筐体を備えた電子機器に関するものである。
【背景技術】
【０００２】
従来より、外部接続用端子に対応して開口された端子接続用開口を有する筐体と、端子接続用開口を外側から覆う端子カバーと、弾性部材で構成され、端子カバーから延び、先端に鉤状の抜け止め部が形成された接続部と、端子接続用開口の周縁に設けられ、抜け止め部が挿入される接続用貫通孔とを備えた携帯端末は知られている（例えば、特許文献１参照）。この種の端子カバーは、端子接続用開口を開いたときに紛失しないように接続部が抜け止めされている。そして、端子接続用開口を開いて外部接続用端子にジャック等を接続しやすくするために、接続部には適度な長さと柔軟性とが必要となっている。
【先行技術文献】
【特許文献】
【０００３】
【特許文献１】特開２０１３−１７０２９号公報
【発明の概要】
【発明が解決しようとする課題】
【０００４】
しかしながら、上記特許文献１のような構造では、接続部の中間位置に抜け止め部を突出させて端子接続用開口の内面に抜け止めさせており、抜け止め効果を上げるためには、接続部の柔軟性が比較的高いことから接続部の幅をある程度大きく保つ必要がある。すると、携帯端末の厚さを薄くすることができない。
【０００５】
本発明は、かかる点に鑑みてなされたものであり、その目的とするところは、抜け止め防止効果が高くコンパクトな端子カバーを設けることにある。
【課題を解決するための手段】
【０００６】
上記の目的を達成するために、この発明では、接続部の抜け止め部の構成に改善を加えた。
【０００７】
具体的には、本発明では、外部接続端子を露出させる端子接続用開口を有する筐体を備えた電子機器を前提とし、
上記電子機器は、
上記端子接続用開口を覆うカバー本体及び閉じ状態で上記端子接続用開口周縁に設けた接続用穴部に挿入され、開き状態で引き出されて該接続用穴部周縁に抜け止めされる帯状の接続部を有する端子カバーを備え、
上記接続部は、
上記接続用穴部周縁の突起に引っかかる鉤部と、
上記鉤部が上記突起に引っかかったときに該鉤部と反対側の上記接続用穴部内面に当接し、該接続部が抜けるのを防止する膨出部とを有する。
【０００８】
上記の構成によると、端子カバーの開き状態で鉤部が突起に引っかかると、膨出部が接続用穴部内面に当接するので、さらに接続部を引っ張っても鉤部が変形し難くなり、突起から抜け出すのが防止される。
【発明の効果】
【０００９】
以上説明したように、本発明によれば、接続部に接続用穴部周縁の突起に引っかかる鉤部と、この鉤部が突起に引っかかったときに鉤部と反対側の接続用穴部内面に当接し、接続部が抜けるのを防止する膨出部とを設けたことにより、端子カバーを抜け止め防止効果が高く、コンパクトなものにすることができる。
【図面の簡単な説明】
【００１０】
【図１】（ａ）は、図２のIa−Ia線拡大断面図であり、（ｂ）は、端子カバーを開いたときの図１（ａ）相当図である。
【図２】本発明の実施形態に係る携帯電話機を背面側から見た斜視図である。
【図３】端子カバーを示し、（ａ）が平面図で、（ｂ）が正面図で、（ｃ）が斜視図である。
【図４】正面側キャビネットにおける、端子接続用開口及びその周辺を拡大して示す斜視図である。
【図５】正面側キャビネット及び背面側キャビネットにおける、端子接続用開口及びその周辺を拡大して示す斜視図である。
【図６】比較例に係る図１相当図である。
【発明を実施するための形態】
【００１１】
以下、本発明の実施形態を図面に基づいて説明する。
【００１２】
図２は、本発明の実施形態の電子機器としての携帯電話機１を示し、この携帯電話機１は、正面側に表示部（図示せず）が嵌め込まれる筐体としての正面側キャビネット３を備えている。図５にも示すように、正面側キャビネット３の背面側は背面側キャビネット４で覆われ、その側面及び背面のほぼ全体がリアカバー５で覆われている。
【００１３】
図４に示すように、正面側キャビネット３の上端のコーナー部１ａ側には、内部の外部接続端子（図示せず）を露出させる例えば長円形の端子接続用開口３ａが形成されている。これに合わせて図５に示すように、背面側キャビネット４にも矩形状の背面側開口４ａが開口されている。同様に図２に示すように、リアカバー５の上端にも矩形状のカバー側開口５ａが開口されている。図４に示すように、カバー側開口５ａよりもコーナー部１ａ側には、このコーナー部１ａの湾曲に沿って凹陥された内側凹部３ｂが設けられている。
【００１４】
そして、これらの開口は、端子カバー１０で覆われている。図３に示すように、端子カバー１０は、カバー側開口５ａに対応した形状を有し、外観の一部を構成するカバー本体１１を備えている。カバー本体１１は、例えばリアカバー５と同じ材質で構成されている。
【００１５】
図３（ｃ）に示すように、カバー本体１１の内面には、端子接続用開口３ａを密閉状に覆う長円形のパッキン部１２が一体成形されている。パッキン部１２は、シリコンゴム等よりなる。但し、このパッキン部１２が一体成形されていない防水構造ではない端子カバーでも本発明の適用は可能である。
【００１６】
図１に示すように、カバー本体１１の長手方向一端には、閉じ状態で端子接続用開口３ａ周縁に対応する背面側キャビネット４に形成した係合部４ｂに係合する係止部１３ａを有する差込部１３が形成されている。
【００１７】
そして、内側凹部３ｂを覆う背面側キャビネット４のコーナー部内面と、内側凹部３ｂとでコーナー部１ａに沿った接続用穴部１６が形成されている。この接続用穴部１６の中間にある内側凹部３ｂには、奥側（左右外側）に向かって高さが高くなる突起１７が突設されている。カバー本体１１の差込部１３と反対側には、帯状の接続部１４が延びている。この接続部１４の先端部１５には、カバー本体１１が開き状態で引き出されたときに、この突起１７に引っかかる鉤部１５ａが一体に形成されている。この鉤部１５ａと突起１７との係合により、端子カバー１０が、接続用穴部１６周縁に抜け止めされるようになっている。接続部１４は、力が加わっていないときには、接続用穴部１６の湾曲に沿って湾曲している。先端部１５は、先端に向かって先細となっているので、接続部１４を挿入するときの摩擦などの抵抗を少なくしながら鉤部１５ａの根元強度を確保できるようになっている。
【００１８】
そして、本発明の特徴として、図１（ｂ）に示すように、接続部１４の先端部１５には、鉤部１５ａが突起１７に引っかかったときに、鉤部１５ａと反対側の背面側キャビネット４で構成された接続用穴部１６内面に当接する膨出部１５ｂ（図３（ｂ）の一部拡大図にハッチングで示す）が一体に形成されている。
【００１９】
次いで、膨出部１５ｂの作用について比較例と比較して説明する。
【００２０】
図６に示す比較例では、先端部１５に膨出部１５ｂが設けられていない。この比較例では、図６（ｂ）に示すように、カバー本体１１が引き出されて接続部１４の先端部１５が接続用穴部１６内を上昇し、その鉤部１４ａが突起１７に当接して抜け止めされる。このとき、接続部１４の抜き差しのしやすさを確保するために、接続用穴部１６内面との間に若干の隙間Ｃが設けられている。
【００２１】
さらに力を加えて接続部１４を引っ張ると、接続部１４は、適度な柔軟性を有しているので、比較的容易に変形して鉤部１４ａが突起１７を超えて端子カバー１０が抜け出てしまう。
【００２２】
一方、本発明の実施形態では、図１（ｂ）に示すように、端子カバー１０の開き状態で鉤部１５ａが突起１７に引っかかると、膨出部１５ｂが接続用穴部１６内面に当接するので、さらに接続部１４を引っ張っても、鉤部１５ａが変形し難い。このため、鉤部１５ａが突起１７から抜け出すのが確実に防止される。
【００２３】
そして、図１（ａ）に示すように、接続部１４が閉じ状態で接続用穴部１６に沿って延びるように挿入されており、図１（ｂ）に示す開き状態では、カバー本体１１の引っ張り上げる方向と、接続部１４の湾曲方向との影響で鉤部１５ａが突起１７に当接したときに確実に膨出部１５ｂが接続用穴部１６の内面に当接するので、膨出部１５ｂによる変形防止効果が向上している。
【００２４】
したがって、本実施形態に係る携帯電話機１によると、カバー本体１１から延びる接続部１４に接続用穴部１６周縁の突起１７に引っかかる鉤部１５ａと、この鉤部１５ａが突起１７に引っかかったときに鉤部１５ａと反対側の接続用穴部１６内面に当接し、接続部１４が抜けるのを防止する膨出部１５ｂとを設けたことにより、端子カバー１０を抜け止め防止効果が高く、コンパクトなものにすることができる。
【００２５】
（その他の実施形態）
本発明は、上記実施形態について、以下のような構成としてもよい。
【００２６】
すなわち、上記実施形態では、接続用穴部１６を正面側キャビネット３と背面側キャビネット４とで形成しているが、１つの筐体で構成してもよい。
【００２７】
また、上記実施形態では、電子機器は、携帯電話機１としたが、ＰＨＳ（Personal Handy-phone System ）、ＰＤＡ(Personal DigitalAssistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００２８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２９】
１      携帯電話機（電子機器）
１ａ    コーナー部
３      正面側キャビネット（筐体）
３ａ    端子接続用開口
３ｂ    内側凹部
４      背面側キャビネット
４ａ    背面側開口
４ｂ    係合部
５      リアカバー
５ａ    カバー側開口
１０      端子カバー
１１      カバー本体
１２      パッキン部
１３      差込部
１４      接続部
１５      先端部
１５ａ    鉤部
１５ｂ    膨出部
１６      接続用穴部
１７      突起
【図１】
2014222744.tif 000003
【図２】
2014222744.tif 000004
【図３】
2014222744.tif 000005
【図４】
2014222744.tif 000006
【図５】
2014222744.tif 000007
【図６】
2014222744.tif 000008